(57)【要約】【課題】スイッチバック搬送される被記録媒体の斜行を効果的に矯正できる画像記録装置を提供する。【解決手段】プリンタ部１１は、第１搬送路２２と給送部１５と記録部２４と排紙トレイ２１と第２搬送路２３とを有する。第２搬送路２３には、記録用紙の搬送方向と交差する方向へ突出する当接部材４９が設けられている。第１搬送路２２と第２搬送路２３とが接続される下流側部位４５より下流側にはスイッチバックローラ５３及び拍車５４が設けられている。スイッチバックローラ５３より搬送方向上流側にフレーム５５及び拍車５６が設けられている。フレーム５５は拍車５６とともに、第１姿勢、第２姿勢及び第３姿勢に姿勢変化される。第２姿勢のフレーム５５及び拍車５６に案内されて、スイッチバック搬送された記録用紙が当接部材４９に当接されて、斜行矯正される。【選択図】図４
2008239306.tif 000002
【特許請求の範囲】
【請求項１】
被記録媒体が搬送される第１搬送路と、
被記録媒体を上記第１搬送路へ送る給送部と、
上記第１搬送路に設けられて、被記録媒体に画像を記録する記録部と、
上記第１搬送路より搬送方向下流側に設けられて、被記録媒体が排出される排出部と、
上記第１搬送路における上記記録部よりも下流側部位と上流側部位とを接続する第２搬送路と、
上記第２搬送路に設けられて、被記録媒体の搬送方向と交差する方向へ突出する当接部材と、
上記第１搬送路における上記下流側部位より搬送方向下流側に設けられて、被記録媒体をスイッチバック搬送可能な搬送機構と、
上記搬送機構より搬送方向上流側に設けられて、被記録媒体を上記排出部へ案内する第１姿勢、スイッチバック搬送された被記録媒体を上記当接部材へ案内する第２姿勢、及びスイッチバック搬送された被記録媒体を上記当接部材と当接させずに上記第２搬送路へ案内する第３姿勢に姿勢変化される第１ガイドと、
上記搬送機構による被記録媒体の搬送方向及び上記第１ガイドの姿勢変化を制御する制御部と、を備えた画像記録装置。
【請求項２】
上記制御部は、上記第１ガイドを第２姿勢として被記録媒体をスイッチバック搬送すべく上記搬送機構による搬送方向を制御し、被記録媒体が上記当接部材に当接した後、当該被記録媒体を当接部材から離れる方向へ搬送すべく上記搬送機構による搬送方向を制御するものである請求項１に記載の画像記録装置。
【請求項３】
上記第２搬送路は、上下方向に対向する一対のガイド部材を有し、
上記当接部材は、上側のガイド部材から下側のガイド部材へ向かって突出されたものである請求項１又は２に記載の画像記録装置。
【請求項４】
上記第２搬送路は、上下方向に対向する一対のガイド部材を有し、
上記当接部材は、下側のガイド部材から上側のガイド部材へ向かって突出されたものである請求項１又は２に記載の画像記録装置。
【請求項５】
上記当接部材は、少なくとも上記第２搬送路を搬送される被記録媒体における搬送方向と交差する方向の両端付近に設けられたものである請求項１から４のいずれかに記載の画像記録装置。
【請求項６】
上記搬送機構は、被記録媒体を挟持して正逆双方向へ回転可能なローラ対を有し、当該ローラ対は、上記当接部材と当接した被記録媒体の剛性によって、当該被記録媒体に対して滑りを生じさせるべく当該被記録媒体を挟持する請求項１から５のいずれかに記載の画像記録装置。
【請求項７】
上記第２搬送路は、上記給送部を介して上記上流側部位へ接続されたものである請求項１から６のいずれかに記載の画像記録装置。
【請求項８】
上記給送部に、被記録媒体における搬送方向と交差する方向の両端を所定位置に位置決めする一対のサイドガイドが設けられ、
上記一対のサイドガイドに、上記第２搬送路から搬送された被記録媒体を当該サイドガイド間へ案内すべく、その離間距離がテーパ状に拡大された誘導部が設けられた請求項７に記載の画像記録装置。
【請求項９】
被記録媒体が搬送される第１搬送路と、
被記録媒体を上記第１搬送路へ送る給送部と、
上記第１搬送路に設けられて、被記録媒体に画像を記録する記録部と、
上記第１搬送路より搬送方向下流側に設けられて、被記録媒体が排出される排出部と、
上記第１搬送路における上記記録部よりも下流側部位と上流側部位とを接続する第２搬送路と、
上記第１搬送路における上記下流側部位より搬送方向下流側に設けられて、被記録媒体をスイッチバック搬送可能な搬送機構と、
上記下流側部位に設けられて、被記録媒体を上記排出部へ案内する第４姿勢、スイッチバック搬送された被記録媒体と当接して被記録媒体を停止する第５姿勢、及びスイッチバック搬送された被記録媒体を上記第２搬送路へ案内する第６姿勢に姿勢変化される第２ガイドと、
上記搬送機構による被記録媒体の搬送方向及び上記第２ガイドの姿勢変化を制御する制御部と、を備えた画像記録装置。
【請求項１０】
上記制御部は、上記第２ガイドを第５姿勢としてスイッチバック搬送された被記録媒体を当接させた後、当該被記録媒体を第２ガイドから離れる方向へ搬送すべく上記搬送機構による搬送方向を制御するものである請求項９に記載の画像記録装置。
【請求項１１】
上記第２ガイドは、少なくとも上記第１搬送路を搬送される被記録媒体における搬送方向と交差する方向の両端付近に設けられたものである請求項９又は１０に記載の画像記録装置。
【請求項１２】
上記搬送機構は、被記録媒体を挟持して正逆双方向へ回転可能なローラ対を有し、当該ローラ対は、上記第２ガイドと当接した被記録媒体の剛性によって、当該被記録媒体に対して滑りを生じさせるべく当該被記録媒体を挟持する請求項９から１１のいずれかに記載の画像記録装置。
【請求項１３】
上記第２搬送路は、上記給送部を介して上記上流側部位へ接続されたものである請求項９から１２のいずれかに記載の画像記録装置。
【請求項１４】
上記給送部に、被記録媒体における搬送方向と交差する方向の両端を所定位置に位置決めする一対のサイドガイドが設けられ、
上記一対のサイドガイドに、上記第２搬送路から搬送された被記録媒体を当該サイドガイド間へ案内すべく、その離間距離がテーパ状に拡大された誘導部が設けられた請求項１３に記載の画像記録装置。
【発明の詳細な説明】
【技術分野】
【０００１】
本発明は、被記録媒体をスイッチバック搬送することにより被記録媒体の両面に画像を記録する画像記録装置に関する。
【背景技術】
【０００２】
従来から、記録用紙の表裏面に画像を記録することができる画像記録装置が提案されている（例えば、特許文献１参照）。この画像記録装置は、用紙カセットから供給された記録用紙を所定の搬送路に沿って搬送し、その搬送過程においてレーザタイプの記録手段によって記録用紙の一方の面に画像を記録する。そして、その記録用紙をスイッチバック搬送して記録用紙の他方の面に画像記録が可能な状態で再び記録手段へ搬送し、記録手段が記録用紙の他方の面に画像を記録する。両面に画像記録が行われた記録用紙は、所定の排紙トレイへ排出される。
【０００３】
【特許文献１】特開平１１−２０９００８号公報
【発明の開示】
【発明が解決しようとする課題】
【０００４】
記録用紙に対して精度よく画像記録を行うために、記録用紙が斜行しないことが望ましい。一般に、画像記録手段より搬送方向上流側には、記録用紙の斜行を矯正するためにレジストローラが配置されており、レジストローラのローラ面に沿って記録用紙の先端が揃えられることにより、斜行の矯正がなされる。
【０００５】
しかし、記録用紙がスイッチバック搬送されてからレジストローラへ到達するまでの搬送経路が長い場合には、記録用紙が大きく斜行して、その搬送経路において紙詰まりが生じたり、レジストローラにおいて斜行が矯正しきれないおそれが生じる。
【０００６】
また、記録手段としてインクジェット記録方式が採用される場合には、未乾燥の画像記録面における記録品質の劣化を防止するために、画像記録された直後の記録用紙をローラ対が強くニップ（挟持）できないという事情が生じる。したがって、画像記録後の記録用紙をスイッチバック搬送すると、ローラ対によるニップ力が弱いために記録用紙が斜行しやく、前述された問題が生じやすい。
【０００７】
本発明は、このような事情に鑑みてなされたものであり、スイッチバック搬送される被記録媒体の斜行を矯正できる画像記録装置を提供することを目的とする。
【課題を解決するための手段】
【０００８】
(1)  本発明にかかる画像記録装置は、被記録媒体が搬送される第１搬送路と、被記録媒体を上記第１搬送路へ送る給送部と、上記第１搬送路に設けられて、被記録媒体に画像を記録する記録部と、上記第１搬送路より搬送方向下流側に設けられて、被記録媒体が排出される排出部と、上記第１搬送路における上記記録部よりも下流側部位と上流側部位とを接続する第２搬送路と、上記第２搬送路に設けられて、被記録媒体の搬送方向と交差する方向へ突出する当接部材と、上記第１搬送路における上記下流側部位より搬送方向下流側に設けられて、被記録媒体をスイッチバック搬送可能な搬送機構と、上記搬送機構より搬送方向上流側に設けられて、被記録媒体を上記排出部へ案内する第１姿勢、スイッチバック搬送された被記録媒体を上記当接部材へ案内する第２姿勢、及びスイッチバック搬送された被記録媒体を上記当接部材と当接させずに上記第２搬送路へ案内する第３姿勢に姿勢変化される第１ガイドと、上記搬送機構による被記録媒体の搬送方向及び上記第１ガイドの姿勢変化を制御する制御部と、を備える。
【０００９】
給送部から第１搬送路へ送られた被記録媒体は、記録部によって、表裏面のうち一方に画像が記録される。制御部は、第１ガイドを第１姿勢として、片面に画像記録された被記録媒体を排出部へ案内させる。そして、制御部は、被記録媒体を搬送機構によってスイッチバック搬送すると共に、第１ガイドを第２姿勢とする。搬送機構によってスイッチバック搬送された被記録媒体は、第１ガイドに案内されて第２搬送路へ進入し、その先端が当接部材に当接する。これにより、被記録媒体は当接部材に沿って先端位置が矯正される。
【００１０】
つづいて、制御部は、第１ガイドを第３姿勢とする。これにより、先端位置が矯正された被記録媒体は、当接部材と当接することなく第２搬送路を搬送される。そして、再び第１搬送路へ進入して記録部へ搬送される。これにより、被記録媒体は記録部と対向する面が表裏逆転される。そして、記録部によって、被記録媒体の表裏面のうち他方に画像記録が行われる。制御部は、第１ガイドを第１姿勢として、両面に画像記録された被記録媒体を排出部へ案内させる。
【００１１】
(2)  上記制御部は、上記第１ガイドを第２姿勢として被記録媒体をスイッチバック搬送すべく上記搬送機構による搬送方向を制御し、被記録媒体が上記当接部材に当接した後、当該被記録媒体を当接部材から離れる方向へ搬送すべく上記搬送機構による搬送方向を制御するものであってもよい。
【００１２】
これにより、第１ガイドの姿勢変化にあたって、当接部材と当接した被記録媒体の先端が、折れ曲がったり破損したりすることが防止される。
【００１３】
(3)  上記第２搬送路は、上下方向に対向する一対のガイド部材を有し、上記当接部材が、上側のガイド部材から下側のガイド部材へ向かって突出される実施態様が考えられる。
【００１４】
(4)  上記第２搬送路は、上下方向に対向する一対のガイド部材を有し、上記当接部材が、下側のガイド部材から上側のガイド部材へ向かって突出される実施態様が考えられる。
【００１５】
(5)  上記当接部材は、少なくとも上記第２搬送路を搬送される被記録媒体における搬送方向と交差する方向の両端付近に設けられることが好ましい。
【００１６】
被記録媒体の搬送方向と交差する方向の両端付近に当接部材が当接するので、被記録媒体の先端を効率よく且つ正確に矯正することができる。
【００１７】
(6)  上記搬送機構として、被記録媒体を挟持して正逆双方向へ回転可能なローラ対を有するものが考えられる。当該ローラ対は、上記当接部材と当接した被記録媒体の剛性によって、当該被記録媒体に対して滑りを生じさせるべく当該被記録媒体を挟持する。
【００１８】
この搬送機構によれば、被記録媒体の先端が当接部材と当接すると、当接部材に沿った先端位置に被記録媒体が姿勢変化すべくローラ対に滑りが生じるので、被記録媒体の斜行を容易に矯正することができる。
【００１９】
(7)  上記第２搬送路として、上記給送部を介して上記上流側部位へ接続される実施態様が考えられる。
【００２０】
(8)  上記給送部に、被記録媒体における搬送方向と交差する方向の両端を所定位置に位置決めする一対のサイドガイドが設けられ、上記一対のサイドガイドに、上記第２搬送路から搬送された被記録媒体を当該サイドガイド間へ案内すべく、その離間距離がテーパ状に拡大された誘導部が設けられてもよい。
【００２１】
前述されたように斜行が矯正された被記録媒体は、給送部においてサイドガイドにより位置決めされた所定位置から若干ずれることが想定される。誘導部が、そのずれを矯正しながら被記録媒体をサイドガイド間へ案内するので、第１搬送路へ再送される被記録媒体が所定位置に位置決めされる。
【００２２】
(9)  本発明にかかる画像記録装置は、被記録媒体が搬送される第１搬送路と、被記録媒体を上記第１搬送路へ送る給送部と、上記第１搬送路に設けられて、被記録媒体に画像を記録する記録部と、上記第１搬送路より搬送方向下流側に設けられて、被記録媒体が排出される排出部と、上記第１搬送路における上記記録部よりも下流側部位と上流側部位とを接続する第２搬送路と、上記第１搬送路における上記下流側部位より搬送方向下流側に設けられて、被記録媒体をスイッチバック搬送可能な搬送機構と、上記下流側部位に設けられて、被記録媒体を上記排出部へ案内する第４姿勢、スイッチバック搬送された被記録媒体と当接して被記録媒体を停止する第５姿勢、及びスイッチバック搬送された被記録媒体を上記第２搬送路へ案内する第６姿勢に姿勢変化される第２ガイドと、上記搬送機構による被記録媒体の搬送方向及び上記第２ガイドの姿勢変化を制御する制御部と、を備える。
【００２３】
給送部から第１搬送路へ送られた被記録媒体は、記録部によって、表裏面のうち一方に画像が記録される。制御部は、第２ガイドを第４姿勢として、片面に画像記録された被記録媒体を排出部へ案内させる。そして、制御部は、被記録媒体を搬送機構によってスイッチバック搬送すると共に、第２ガイドを第５姿勢とする。搬送機構によってスイッチバック搬送された被記録媒体は、その先端が第２ガイドに当接して停止される。これにより、被記録媒体は第２ガイドに沿って先端位置が矯正される。
【００２４】
つづいて、制御部は、第２ガイドを第６姿勢とする。これにより、先端位置が矯正された被記録媒体は、第２搬送路へ案内される。そして、被記録媒体は、再び第１搬送路へ進入して記録部へ搬送される。これにより、被記録媒体は記録部と対向する面が表裏逆転される。そして、記録部によって、被記録媒体の表裏面のうち他方に画像記録が行われる。制御部は、第２ガイドを第４姿勢として、両面に画像記録された被記録媒体を排出部へ案内させる。
【００２５】
(10)  上記制御部は、上記第２ガイドを第５姿勢としてスイッチバック搬送された被記録媒体を当接させた後、当該被記録媒体を第２ガイドから離れる方向へ搬送すべく上記搬送機構による搬送方向を制御するものであってもよい。
【００２６】
これにより、第２ガイドの姿勢変化にあたって、第２ガイドと当接した被記録媒体の先端が、折れ曲がったり破損したりすることが防止される。
【００２７】
(11)  上記第２ガイドは、少なくとも上記第１搬送路を搬送される被記録媒体における搬送方向と交差する方向の両端付近に設けられることが好ましい。
【００２８】
被記録媒体の搬送方向と交差する方向の両端付近に第２ガイドが当接するので、被記録媒体の先端を効率よく且つ正確に矯正することができる。
【００２９】
(12)  上記搬送機構として、被記録媒体を挟持して正逆双方向へ回転可能なローラ対を有するものが考えられる。当該ローラ対は、上記当接部材と当接した被記録媒体の剛性によって、当該被記録媒体に対して滑りを生じさせるべく当該被記録媒体を挟持する。
【００３０】
この搬送機構によれば、被記録媒体の先端が第２ガイドと当接すると、第２ガイドに沿った先端位置に被記録媒体が姿勢変化すべくローラ対に滑りが生じるので、被記録媒体の斜行を容易に矯正することができる。
【００３１】
(13)  上記第２搬送路として、上記給送部を介して上記上流側部位へ接続される実施態様が考えられる。
【００３２】
(14)  上記給送部に、被記録媒体における搬送方向と交差する方向の両端を所定位置に位置決めする一対のサイドガイドが設けられ、上記一対のサイドガイドに、上記第２搬送路から搬送された被記録媒体を当該サイドガイド間へ案内すべく、その離間距離がテーパ状に拡大された誘導部が設けられてもよい。
【００３３】
前述されたように斜行が矯正された被記録媒体は、給送部においてサイドガイドにより位置決めされた所定位置から若干ずれることが想定される。誘導部が、そのずれを矯正しながら被記録媒体をサイドガイド間へ案内するので、第１搬送路へ再送される被記録媒体が所定位置に位置決めされる。
【発明の効果】
【００３４】
本発明によれば、搬送機構によってスイッチバック搬送された被記録媒体が、第１ガイドに案内されて第２搬送路へ進入し、その先端位置が当接部材に沿って矯正されるので、スイッチバック搬送による被記録媒体の斜行が矯正される。したがって、被記録媒体の両面に精度よく画像記録を行うことができる。
【００３５】
また、本発明によれば、搬送機構によってスイッチバック搬送された被記録媒体の先端位置が第２ガイドに沿って矯正されるので、スイッチバック搬送による被記録媒体の斜行が矯正される。したがって、被記録媒体の両面に精度よく画像記録を行うことができる。
【発明を実施するための最良の形態】
【００３６】
以下、適宜図面が参照されて、本発明の好ましい実施形態が説明される。なお、本実施形態は、本発明の一例にすぎず、本発明の要旨を変更しない範囲で適宜変更され得る。
【００３７】
［第１実施形態］
＜複合機１０の概略構成＞
【００３８】
図１は、本発明の一実施形態にかかる複合機１０の外観斜視図である。図２は、複合機１０のプリンタ部１１の内部構造を示す縦断面図である。
【００３９】
複合機１０は、プリンタ部１１及びスキャナ部１２を備えた多機能装置（ＭＦＤ：Multi Function Device）であり、プリンタ機能、スキャナ機能、コピー機能、ファクシミリ機能を有する。本発明にかかる画像記録装置は、複合機１０のプリンタ部１１として実施されている。したがって、複合機１０においてプリンタ機能以外の機能は任意のものである。
【００４０】
図１に示されるように、複合機１０の下部がプリンタ部１１である。図２に示されるように、プリンタ部１１の内部に第１搬送路２２及び第２搬送路２３が形成されている。被記録媒体としての記録用紙は、第１搬送路２２に沿って搬送される。プリンタ部１１は、記録用紙を第１搬送路２２に送り出す給送部１５と、記録用紙にインク滴を吐出することにより画像を記録する記録部２４と、排紙トレイ２１とを備えている。複合機１０は、記録用紙の表裏面に画像を記録できる。記録用紙に両面印刷される場合には、表面に画像が記録された記録用紙が、第１搬送路２２から第２搬送路２３へ案内される。これにより、記録用紙は、第２搬送路２３から再び第１搬送路２２に送り込まれて表裏面が反転される。記録部２４は、表裏面が反転された記録用紙の裏面に画像を記録する。
【００４１】
図１に示されるように、複合機１０の上部がスキャナ部１２である。スキャナ部１２は、いわゆるフラットベッドスキャナとして構成されている。原稿カバー３０が複合機１０の天板として設けられている。図１には示されていないが、原稿カバー３０の下にプラテンガラスが配置されている。原稿は、プラテンガラス上に載置され、原稿カバー３０に覆われた状態で画像読取りされる。
【００４２】
複合機１０の正面上部に操作パネル１４が設けられている。操作パネル１４は、プリンタ部１１やスキャナ部１２を操作するためのものであって、各種操作ボタンや液晶表示部から構成されている。複合機１０は、操作パネル１４からの操作指示に基づいて動作する。例えば、ユーザーが操作パネル１４を操作することによって、記録用紙の表面のみに画像が記録される片面記録モード、或いは表裏面に画像が記録される両面記録モードが設定される。複合機１０が外部のコンピュータに接続されている場合には、このコンピュータからプリンタドライバ又はスキャナドライバを介して送信される指示に基づいても複合機１０が動作する。この場合、プリンタドライバにおいて記録モードが設定され得る。複合機１０は、スロット部１６を備えている。記憶媒体である各種小型メモリカードがスロット部１６に装填され得る。スロット部１６に小型メモリカードが装填された状態で、ユーザーが操作パネル１４において所定の操作を行うことにより、小型メモリカードに記憶された画像データが読み出されて、プリンタ部１１において、その画像が記録用紙に記録される。
【００４３】
＜プリンタ部１１＞
以下に、プリンタ部１１の構成が詳細に説明される。
【００４４】
＜給送部１５＞
図１に示されるように、プリンタ部１１の正面に開口１３が設けられている。給紙トレイ２０及び排紙トレイ２１は、開口１３の内側に上下２段に設けられている。図２に示されるように、給送部１５は、給紙トレイ２０、給紙ローラ２５、アーム２６、及び動力伝達機構２７とを備えている。なお、図２においては、排紙トレイ２１が省略されている。排紙トレイ２１が、本発明における排出部に相当する。
【００４５】
図３は、給紙トレイ２０の構成を示す斜視図である。図２及び図３に示されるように、給紙トレイ２０は、記録用紙が給紙される方向（図２における左方向）に長い矩形状に形成されている。給紙トレイ２０は、大別して、トレイ本体３１と、傾斜板３２と、一対のサイドガイド３３，３４とを有する。傾斜板３２及びサイドガイド３３，３４は、トレイ本体３１に取り付けられている。
【００４６】
傾斜板３２は、トレイ本体３１の搬送方向下流側（図２における左側）の端部に設けられている。傾斜板３２は、トレイ本体３１の幅方向（図２における紙面垂直方向）に長い板状部材である。傾斜板３２は、装置背面側へ傾斜している。したがって、傾斜板３２に記録用紙の先端が当接すると、その先端が傾斜板３２の内面に沿って上方へ案内される。
【００４７】
傾斜板３２の内面に分離部材３５が設けられている。分離部材３５は、傾斜板３２における横幅方向の中央に設けられている。分離部材３５には、トレイ本体３１の内側へ向かって突出する複数の歯が、搬送方向に沿って設けられる。なお、図３では、当該歯が省略されている。トレイ本体３１に載置された複数枚の記録用紙が重ねられた状態で傾斜板３２へ給送されると、記録用紙の束の先端が分離部材３５の歯によって捌かれる。これにより、記録用紙の束から最上位置の記録用紙のみが分離される。
【００４８】
図３に示されるように、一対のサイドガイド３３，３４がトレイ本体３１に設けられている。サイドガイド３３，３４は、トレイ本体３１の幅方向へスライド可能に設けられている。サイドガイド３３，３４は、給紙トレイ２０に載置された記録用紙の幅方向の両端を所定の位置に位置決めするものである。本実施形態では、記録用紙の幅方向は搬送方向と直交する方向である。また、記録用紙が一対のサイドガイド３３，３４によって位置決めされる所定位置は、本実施形態では給紙トレイ２０における幅方向の中央である。記録用紙を、給紙トレイ２０における幅方向の中央に位置決めして、記録用紙を搬送及び画像記録する方式は、一般に、センターレジと称される。
【００４９】
サイドガイド３３，３４は、略Ｌ字形状の長尺部材であり、一方の壁がトレイ本体３１の底面に設置され、他方の壁がトレイ本体３１の底面から上方へ起立されている。この起立された壁が記録用紙の両端にそれぞれ当接して、記録用紙が所定位置に位置決めされる。図３には詳細に示されていないが、一対のサイドガイド３３，３４は、トレイ本体３１の底面に沿って互いに対向する方向へラックギアが延出されている。一対のサイドガイド３３，３４それぞれのラックギアは、トレイ本体３１の幅方向中央に埋設されたピニオンギアに噛合されている。これにより、サイドガイド３３，３４のいずれか一方がトレイ本体３１の幅方向へスライドされると、他方が連動して相反する方向へスライドされる。
【００５０】
一対のサイドガイド３３，３４における各々の上端３６，３７には、誘導部３８，３９がそれぞれ設けられている。各サイドガイド３３，３４の上端３６，３７は、記録用紙の搬送方向へ延びるほぼ水平面をなす。各上端３６，３７において、第２搬送路２３の搬送方向の延長線上に対応する位置に誘導部３８，３９がそれぞれ形成されている。誘導部３８，３９は、サイドガイド３３，３４におけるトレイ本体３１の底面から起立する壁の一部が、上端３６，３７へ向かうにつれてテーパ状に外側へ拡がる形状に形成されてなる。つまり、一対の誘導部３８，３９はサイドガイド３３，３４に一体に形成されて、その間の距離がサイドガイド３３，３４の上端３６，３７へ向かうにつれて拡大されている。
【００５１】
一対の誘導部３８，３９間の距離が、一対のサイドガイド３３，３４間の距離からどの程度拡大されるかは、第２搬送路２３からスイッチバック搬送される記録用紙が、その幅方向に位置ズレすると予測される範囲を考慮して設定される。また、誘導部３８，３９の搬送方向の寸法は特に限定されないが、第２搬送路２３からスイッチバック搬送される記録用紙の先端が到達すると予測される範囲を含むように設定される。したがって、第２搬送路２３からスイッチバック搬送された記録用紙は、その幅方向の両端が一対の誘導部３８，３９に誘導されて、一対のサイドガイド３３，３４へ案内される。
【００５２】
図２及び図４に示されるように、給紙トレイ２０の上側に給紙ローラ２５が配置されている。給紙ローラ２５は、給紙トレイ２０に積載された記録用紙を第１搬送路２２へ供給する。給紙ローラ２５は、アーム２６の先端に軸支されている。給紙ローラ２５は、ＬＦモータ７７（図８参照）を駆動源として動力伝達機構２７を介して駆動伝達されて回転される。この駆動伝達機構２７は複数のギアを有し、これらが直列に噛合されることにより構成されている。
【００５３】
アーム２６は、基軸２８に支持されている。アーム２６の基端部が基軸２８に支持されて、アーム２６が基軸２８を中心として回転可能である。この回転によって、アーム２６は、給紙トレイ２０に対して接離可能に上下動できる。アーム２６は、自重により又はバネ等に付勢されて下側へ回動付勢されている。したがって、アーム２６の先端に支持された給紙ローラ２５は、通常において給紙トレイ２０に接触する。給紙トレイ２０の側壁にはアーム２６を上方へ回転されるカムフォロワが形成されており、これによって給紙トレイ２０が挿抜される際にアーム２６が上側へ退避される。
【００５４】
アーム２６が下側へ回動付勢されることにより、給紙ローラ２５が給紙トレイ２０上の記録用紙に圧接する。その状態で、給紙ローラ２５が回転されると、給紙ローラ２５のローラ面と記録用紙との間に発生する摩擦力により、最上位置の記録用紙が傾斜板３２の方へ送り出される。記録用紙の先端が傾斜板３２に当接すると、記録用紙の束のうちの最上位置の１枚が捌かれて上方へ案内される。
【００５５】
＜第１搬送路２２＞
傾斜板３２の上方には、第１搬送路２２が設けられている。第１搬送路２２は、傾斜板３２から上方へ向かった後、正面側へ横向きＵ字形状に曲がっている。第１搬送路２２は、複合機１０の背面側（図４における左側）から正面側（図４における右側）へと延び、記録部２４を経て排紙トレイ２１へ通じている。つまり、排紙トレイ２１は、第１搬送路２２の搬送方向下流側に配置されている。給紙トレイ２０に収容された記録用紙は、第１搬送路２２に沿って下方から上方へＵターンするように案内されて記録部２４に至り、記録部２４によって画像記録が行われた後、排紙トレイ２１へ排出される。なお、図４には排紙トレイ２１が省略されている。
【００５６】
第１搬送路２２は、記録部２４等が配設されている箇所以外では、外側ガイド面と内側ガイド面とによって区画形成されている。例えば、複合機１０の背面側の第１搬送路２２の湾曲部分は、外側ガイド部材１８と内側ガイド部材１９とが所定の間隔で対向配置されることにより構成されている。この場合、外側ガイド部材１８が湾曲外側のガイド面を構成し、内側ガイド部材１９が湾曲内側のガイド面を構成する。外側ガイド部材１８及び内側ガイド部材１９は、複合機１０の筐体やフレームなどに固定される。
【００５７】
＜記録部２４＞
図２及び図４に示されるように、記録部２４は、第１搬送路２２が装置背面から装置正面へ延びる途中に配置されている。記録部２４は、キャリッジ４０、インクジェット記録ヘッド４１、及びプラテン４２を備えている。インクジェット記録ヘッド４１は、キャリッジ４０に搭載されている。キャリッジ４０は、ガイドレール４３，４４に沿って記録用紙の幅方向（図４における紙面垂直方向）に往復動される。図２及び図４には示されていないが、ガイドレール４４には、ＣＲモータ７９（図８参照）を駆動源とするベルト駆動機構が設けられている。このようなベルト駆動機構は周知であるが、例えば、ガイドレール４４の幅方向両端付近に駆動プーリ及び従動プーリがそれぞれ設けられ、この駆動プーリ及び従動プーリに無端環状のタイミングベルトが巻架されてなる。ベルト駆動機構のタイミングベルトにキャリッジ４０が連結されることにより、ＣＲモータ７９の駆動がベルト駆動機構を介してキャリッジ４０へ伝達され、キャリッジ４０が往復動する。
【００５８】
インクジェット記録ヘッド４１と対向して、第１搬送路２２にはプラテン４２が設けられている。プラテン４２は、第１搬送路２２を搬送される記録用紙を支持する。プラテン４２により、記録用紙がインクジェット記録ヘッド４１と所定のヘッドギャップに支持される。図２及び図４には示されていないが、複合機１０の内部には、インクジェット記録ヘッド４１と独立してインクカートリッジが配置されている。このインクカートリッジからインクチューブを通じて各色インクがインクジェット記録ヘッド４１へ供給される。キャリッジ４０が往復動される間に、インクジェット記録ヘッド４１から各色インクが微小なインク滴としてプラテン４２へ向かって選択的に吐出される。これにより、プラテン４２上を搬送される記録用紙に画像が記録される。
【００５９】
図２及び図４には示されていないが、キャリッジ４０及びガイドレール４４にはリニアエンコーダ８３（図８参照）が設けられている。リニアエンコーダ８３は、キャリッジ４０の位置を検知するためのものである。リニアエンコーダ８３は、エンコーダストリップと、エンコーダストリップのパターンを検出する光学センサとからなる。エンコーダストリップは、キャリッジ４０の上側においてガイドレール４４の幅方向に渡って延出されている。エンコーダストリップには、光を透過させる透光部及び光を遮断する遮光部が、その長手方向に所定ピッチで交互に配置されて、所定のパターンを形成している。キャリッジ４０の上面には、エンコーダストリップと対応する位置に光学センサが設けられている。この光学センサはキャリッジ４０とともに往復動して、エンコーダストリップのパターンを検知する。リニアエンコーダ８３から出力されるエンコーダ量に基づいて、後述される制御部７０が、キャリッジ４０の往復動及びインクジェット記録ヘッド４１のインク吐出を制御する。また、図２及び図４には示されていないが、キャリッジ４０には、インクの吐出を制御するヘッド制御基板が搭載されている。このヘッド制御基板は、後述される制御部７０と電気信号を送受信可能に接続されている。
【００６０】
＜第２搬送路２３＞
図２及び図４に示されるように、第２搬送路２３は、第１搬送路２２と給紙トレイ２０とを接続する。詳細には、第２搬送路２３の一端側は、第１搬送路２２において記録部２４よりも下流側部位４５と接続され、他端側は、給紙トレイ２０において給紙ローラ２５より上流側と接続されている。給紙トレイ２０は、傾斜板３２を介して第１搬送路２２と接続されているので、第２搬送路２３は、給送部１５を介して、第１搬送路２２における記録部２４よりも上流側部位４６と接続されている。第２搬送路２３は、片面に画像が記録されてスイッチバック搬送される記録用紙を給紙トレイ２０上へ導くものである。
【００６１】
第２搬送路２３は、所定の間隔で対向配置された一対の上側ガイド部材４７と下側ガイド部材４８とによって区画形成されている。上側ガイド部材４７及び下側ガイド部材４８は、第１搬送路２２の下流側部位４５から給紙ローラ２５の上流側へ向かって、斜め下方へ延出されている。
【００６２】
＜当接部材４９＞
上側ガイド部材４７には、下側ガイド部材４８へ向かって突出する当接部材４９が設けられている。つまり、当接部材４９は、第２搬送路２３に沿って記録用紙が搬送される方向と交差する方向へ、斜め下方へ向かって突出している。当接部材４９が突出する寸法は特に限定されないが、第２搬送路２３において、記録用紙が当接部材４９と当接せずに、当接部材４９と下側ガイド部材４８との間を通過できるように構成されている。
【００６３】
当接部材４９は、上側ガイド部材４７において、下流側部位４５より若干下流側に配置されている。したがって、下流側部位４５から第２搬送路２３へ進入した記録用紙は、その進入方向によって当接部材４９と当接し得る。当接部材４９は、少なくとも第２搬送路２３を搬送される記録用紙の幅方向（搬送方向と交差する方向）の両端付近に設けられればよいが、本実施形態では、多様なサイズの記録用紙が搬送されることを考慮して、第２搬送路２３の幅方向全体に渡って当接部材４９が設けられている。
【００６４】
＜搬送機構＞
図２及び図４に示されるように、第１搬送路２２において記録部２４よりも上流側に搬送ローラ５０が設けられている。搬送ローラ５０の下側には、搬送ローラ５０と圧接するピンチローラが設けられているが、図２及び図４には示されていない。搬送ローラ５０は、第１搬送路２２の幅方向（図４における紙面垂直方向）に渡って設けられており、ピンチローラは、第１搬送路の幅方向に所定間隔で複数が設けられている。搬送ローラ５０とピンチローラによって、第１搬送路２２を搬送される記録用紙が挟持されてプラテン４２上へ搬送される。
【００６５】
第１搬送路２２において記録部２４よりも下流側に排紙ローラ５１及び拍車５２が設けられている。拍車５２は、排紙ローラ５１に圧接されている。排紙ローラ５１は、第１搬送路２２の幅方向に渡って設けられており、拍車５２は、第１搬送路２２の幅方向に所定間隔で複数が設けられている。排紙ローラ５１及び拍車５２によって、記録済みの記録用紙が挟持されて、第１搬送路２２の下流側部位４５へ搬送される。
【００６６】
搬送ローラ５０及び排紙ローラ５１は、ＬＦモータ７７を駆動源として駆動される。搬送ローラ５０及び排紙ローラ５１の駆動は同期されており、画像記録時において間欠駆動され、画像記録の前後においては連続駆動される。これによって、記録用紙は、記録部２４へ到達するまでは第１搬送路２２を所定の速度で搬送され、記録部２４へ到達すると所定の改行幅で間欠して搬送される。記録用紙の搬送が間欠された間に、キャリッジ４０が往復動されて、インクジェット記録ヘッド４１によって記録用紙の所定の位置に画像記録がなされる。
【００６７】
図２及び図４には示されていないが、搬送ローラ５０にロータリーエンコーダ８２（図８参照）が設けられている。ロータリーエンコーダ８２は、搬送ローラ５０と共に回転するエンコーダディスクと、エンコーダディスクのパターンを検知する光学センサとからなる。ロータリーエンコーダ８２から出力されるエンコーダ量に基づいて、後述される制御部７０が、搬送ローラ５０及び排紙ローラ５１の回転を制御する。
【００６８】
また、図２及び図４には示されてないが、第１搬送路２２において搬送ローラ５０よりも上流側にはレジセンサ８４が配置されている。レジセンサ８４は、検出子と光学センサとからなる。検出子は、第１搬送路２２を横切るように配置されて、記録用紙が当接することにより第１搬送路２２から弾性的に退避する。この検出子の動きが光学センサにより検知され、後述される制御部７０は、その検知信号によって、搬送ローラ５０の上流側に記録用紙の先端又は後端が到達したかを判断する。
【００６９】
第１搬送路２２において、下流側部位４５の直下流側にスイッチバックローラ５３及び拍車５４が設けられている。拍車５４は、スイッチバックローラ５３に圧接されている。スイッチバックローラ５３は、第１搬送路２２の幅方向に渡って設けられており、拍車５４は、第１搬送路２２の幅方向に所定間隔で複数が配置されている。スイッチバックローラ５３及び拍車５４によって、片面に画像記録された記録用紙が挟持されて、スイッチバック搬送される。また、両面に画像記録がされた記録用紙が挟持されて、排紙トレイ２１へ排出される。スイッチバックローラ５３及び拍車５４が、本発明におけるローラ対に相当する。
【００７０】
スイッチバックローラ５３は、ＬＦモータ７７を駆動源として駆動される。スイッチバックローラ５３は正逆双方向へ回転可能である。スイッチバックローラ５３の回転方向は、ＬＦモータ７７の正逆転により制御される。なお、ＬＦモータ７７からスイッチバックローラ５３への駆動伝達過程において、ギヤ列の切換によって、一定方向のＬＦモータ７７の回転をスイッチバックローラ５３の双方向の回転として伝達するようにしてもよい。スイッチバックローラ５３の正転及び逆転は相対的なものであるが、本実施形態では、記録用紙を排紙トレイ２１側へ搬送する回転が正転と称され、記録用紙を第２搬送路２３へ搬送する回転が逆転と称される。
【００７１】
拍車５４は、フレーム５５に支持されて、スイッチバックローラ５３に対して接離可能にスライドされる。図２及び図４には詳細に示されてないが、拍車５４は、その回転軸がコイルバネによって弾性付勢されて、常にスイッチバックローラ５３に圧接されている。したがって、スイッチバックローラ５３が回転されると、それに従動して拍車５４も回転する。コイルバネによって拍車５４に付与される弾性付勢力が、スイッチバックローラ５３及び拍車５４による記録用紙のニップ力である。スイッチバックローラ５３及び拍車５４は、画像記録直後の記録用紙を挟持するので、これらによるニップ力は比較的弱く設定されている。したがって、スイッチバックローラ５３及び拍車５４に挟持された状態で記録用紙に外力が付与されると、記録用紙の剛性（腰）にニップ力が負けて、記録用紙は容易に姿勢変化される。つまり、記録用紙に外力が付与されると、記録用紙がスイッチバックローラ５３及び拍車５４に対して滑りうる。
【００７２】
＜経路切換部＞
以下に、本発明における第１ガイドとしての経路切換部が説明される。経路切換部は、前述されたフレーム５５と、フレーム５５に支持されてスイッチバックローラ５３の上流側に配置された拍車５６とを備える。フレーム５５は、スイッチバックローラ５３から搬送方向上流側へ延出されて下流側部位４５へ至る。フレーム５５の延出端に拍車５６が回転自在に支持されて、拍車５６が下流側部位４５に配置されている。フレーム５５は、第１搬送路２２の幅方向に延出されており、拍車５６は、第１搬送路２２の幅方向に所定間隔で複数が配置されている。
【００７３】
フレーム５５は、スイッチバックローラ５３の回転軸を中心として、延出端側が回転可能に構成されている。フレーム５５には、ＬＦモータ７７の駆動力が伝達されて、所定の回転位置に姿勢変化される。フレーム５５の基端側に支持された拍車５４と、フレーム５５の延出端に支持された拍車５６とは、フレーム５５とともスイッチバックローラ５３の回転軸周りに回転される。
【００７４】
図５から図７は、フレーム５５の各姿勢を示す拡大断面図である。図５には、第１姿勢のフレーム５５が示されている。図６には、第２姿勢のフレーム５５が示されている。図７には、第３姿勢のフレーム５５が示されている。
【００７５】
図５に示されるように、フレーム５５は、第１姿勢において、スイッチバックローラ５３から水平方向へ、その延出端を延ばす。第１姿勢において、スイッチバックローラ５３と拍車５４とのニップ位置を通過する拍車５６の接線５７は、搬送ローラ５０及びピンチローラによるニップ位置と、排紙ローラ５１及び拍車５２によるニップ位置とを結ぶ直線と一致する。つまり、搬送ローラ５０及びピンチローラ、並びに排紙ローラ５１及び拍車５２にそれぞれ挟持されて搬送される記録用紙は、接線５７に沿って搬送される。そして、接線５７に沿って搬送される記録用紙は、拍車５６の最下部を通過して、スイッチバックローラ５３及び拍車５４に挟持される。つまり、第１姿勢のフレーム５５によって、記録用紙は排紙トレイ２１へ案内される。
【００７６】
図６に示されるように、フレーム５５は、第２姿勢において、スイッチバックローラ５３から斜め下方へ、その延出端を延ばす。フレーム５５が第１姿勢から第２姿勢へ姿勢変化することにより、フレーム５５とともに、拍車５４，５６がスイッチバックローラ５３の回転軸周りに回転する。スイッチバックローラ５３と拍車５４とのニップ位置を通過する拍車５６の接線５８上に、当接部材４９が位置する。したがって、スイッチバックローラ５３及び拍車５４によってスイッチバック搬送された記録用紙は、その先端が拍車５６によって接線５８方向へ案内される。つまり、第２姿勢のフレーム５５によって、記録用紙は当接部材４９へ案内される。
【００７７】
図７に示されるように、フレーム５５は、第３姿勢において、第２姿勢よりさらにスイッチバックローラ５３から斜め下方へ、その延出端を延ばす。フレーム５５が第２姿勢から第３姿勢へ姿勢変化することにより、フレーム５５とともに、拍車５４，５６がスイッチバックローラ５３の回転軸周りにさらに回転する。スイッチバックローラ５３と拍車５４とのニップ位置を通過する拍車５６の接線５９上には、当接部材４９は位置しない。したがって、スイッチバックローラ５３及び拍車５４によってスイッチバック搬送された記録用紙は、その先端が拍車５６によって接線５９方向へ案内される。つまり、第３姿勢のフレーム５５によって、記録用紙は当接部材４９と当接せずに第２搬送路２３を通過できる方向へ案内される。
【００７８】
図２及び図４に示されるように、スイッチバックローラ５３及び拍車５４より搬送方向下流側に拍車６０が設けられている。拍車６０は、第１搬送路２２の幅方向に所定間隔で複数が設けられている。拍車６０は、その最下部が拍車５４の最下部より上側となる位置に配置されている。したがって、図５に示されるように、第１姿勢のフレーム５５によって接線５７に沿って搬送される記録用紙Ｐは、拍車６０とは接触しない。
【００７９】
第２姿勢又は第３姿勢のフレーム５５によって接線５８又は接線５９に沿ってスイッチバック搬送される記録用紙Ｐは、その剛性によって、スイッチバックローラ５３及び拍車５４による挟持位置より排紙トレイ２１側の部分を、接線５８又は接線５９に沿って上側へ持ち上げようとする。この場合に、図６及び図７に示されるように、記録用紙Ｐの当該部分に拍車６０が接触する。記録用紙Ｐは、拍車６０と接触することにより撓んで、スイッチバックローラ５３に巻き付けられる。これにより、記録用紙Ｐの剛性がスイッチバックローラ５３への圧接力として作用する。
【００８０】
＜制御部７０＞
図８は、複合機１０の制御部７０の構成を示すブロック図である。制御部７０は、プリンタ部１１のみでなくスキャナ部１２も含む複合機１０の全体動作を制御するものである。制御部７０はメイン基板により構成され、複合機１１内の所定の位置に配置される。なお、スキャナ部１２の制御に関する構成は、本発明の主要な構成ではないので、その詳細な説明は省略される。
【００８１】
制御部７０は、ＣＰＵ（Central Processing Unit）７１、ＲＯＭ（Read Only Memory）７２、ＲＡＭ（Random Access Memory）７３、ＥＥＰＲＯＭ（Electrically Erasable and Programmable ROM）７４を主とするマイクロコンピュータとして構成されている。制御部７０は、バス７５を介してＡＳＩＣ（Application Specific Integrated Circuit）７６に接続されている。
【００８２】
複合機１０の各種動作を制御するためのプログラム等がＲＯＭ７２に格納されている。ＲＡＭ７３は、ＣＰＵ７１が上記プログラムを実行する際に用いる各種データを一時的に記録する記憶領域又は作業領域として使用される。また、電源オフ後も保持すべき設定やフラグ等がＥＥＰＲＯＭ７４に格納される。
【００８３】
ＡＳＩＣ７６は、ＣＰＵ７１からの指令に従い、ＬＦモータ７７に通電する相励磁信号等を生成する。この信号は、ＬＦモータ７７の駆動回路７８に付与され、この駆動回路７８を介して駆動信号がＬＦモータ７７に通電される。このようにして、ＬＦモータ７７の回転制御が行われる。
【００８４】
駆動回路７８は、給紙ローラ２５、搬送ローラ５０、排紙ローラ５１、スイッチバックローラ（ＳＢローラ）５３、及びフレーム５５に接続されたＬＦモータ７７を駆動させるものである。駆動回路７８は、ＡＳＩＣ７６からの出力信号を受けて、ＬＦモータ７７を回転するための電気信号を形成する。この電気信号を受けてＬＦモータ７７が回転する。ＬＦモータ７７の回転力が給紙ローラ２５、搬送ローラ５０、排紙ローラ５１、スイッチバックローラ５３、及びフレーム５５へ伝達される。なお、ＬＦモータ７７の回転力は、ギアや駆動軸等からなる周知の駆動機構を介してスイッチバックローラ５３及びフレーム５５等に伝達される。制御部７４は、ＬＦモータ７７の回転方向及び駆動機構を制御することにより、スイッチバックローラ５３の正逆転、及びフレーム５５の姿勢変化を制御する。
【００８５】
ＡＳＩＣ７６は、ＣＰＵ７１からの指令に従い、ＣＲモータ７９に通電する相励磁信号等を生成する。この信号は、ＣＲモータ７９の駆動回路８０に付与され、この駆動回路８０を介して駆動信号がＣＲモータ７９に通電される。このようにして、ＣＲモータ７９の回転制御が行われる。
【００８６】
駆動回路８０は、ＣＲモータ７９を駆動させるものである。駆動回路８０は、ＡＳＩＣ７６からの出力信号を受けて、ＣＲモータ７９を回転するための電気信号を形成する。この電気信号を受けてＣＲモータ７９が回転する。ＣＲモータ７９の回転力は、所要の駆動機構を介してキャリッジ４０へ伝達され、これにより、キャリッジ４０が往復動される。このようにして、キャリッジ４０の往復動が制御部７０により制御される。
【００８７】
駆動回路８１は、インクジェット記録ヘッド４１を所定のタイミングで駆動させるものである。ＣＰＵ７１から出力される駆動制御手順に基づいて、ＡＳＩＣ７６が出力信号を生成する。この出力信号に基づいて駆動回路８１がインクジェット記録ヘッド４１を駆動制御する。この駆動回路８１は、ヘッド制御基板に搭載されている。駆動回路８１から出力される信号は、制御部７０を構成するメイン基板からヘッド制御基板へ伝送される。これにより、インクジェット記録ヘッド４１は、所定のタイミングで各色インクを記録用紙に対して選択的に吐出する。
【００８８】
搬送ローラ５０の回転量を検出するロータリーエンコーダ８２、キャリッジ４０の位置検知を行うリニアエンコーダ８３、記録用紙７４の先端及び後端の検知を行うレジセンサ８４がＡＳＩＣ７６に接続されている。制御部７０は、リニアエンコーダ８３から出力されるエンコーダ量に基づいて、キャリッジ４０の移動量を把握する。制御部７０は、この移動量に基づいてキャリッジ４０の往復動を制御すべく、ＣＲモータ７９の回転を制御する。また、制御部７０は、レジセンサ８４の信号及びロータリーエンコーダ８２が出力するエンコーダ量に基づいて記録用紙７４の先端又は後端の位置を把握する。
【００８９】
スキャナ部１２、画像記録モードの設定その他の複合機１０の操作指示を行うための操作パネル１４、各種小型メモリカードが挿入されるスロット部１６、パソコン等の外部情報機器とパラレルケーブルやＵＳＢケーブルを介してデータの送受信を行うためのパラレルインタフェース８５及びＵＳＢインタフェース８６がＡＳＩＣ７６に接続されている。さらに、ファクシミリ機能を実現するためのＮＣＵ（Network Control Unit）８７やモデム（MODEM）８８もＡＳＩＣ７６に接続されている。
【００９０】
＜プリンタ部１１の動作＞
図９及び図１０は、プリンタ部１１の動作を示すフローチャートである。ユーザは、画像記録にあたって、画像記録モードなどを設定する。画像記録モードにおいては、記録用紙の片面にのみ印刷を行う片面記録モードと、記録用紙の両面に印刷を行う両面記録モードとが設定しうる。また、ユーザは、記録用紙のサイズや種類、解像度、カラー印刷又はモノクロ印刷などを設定する。これらは、複合機１０の操作パネル１４を操作することにより設定しうる。また、複合機１０が外部情報機器と接続されている場合には、外部情報機器にインストールされたプリンタドライバにおいて設定しうる。設定された各情報は、プリンタ部１１のＲＡＭ７３に格納される。
【００９１】
ユーザが操作パネル１４のスタートボタンを押下することにより、または外部情報機器から印刷開始の指令を複合機１０へ出力することにより、プリンタ部１１が画像記録を開始する。図９に示されるように、画像記録が開始されると、制御部７０は、ＲＡＭ７３に格納された情報から、片面記録モード又は両面記録モードのいずれが設定されたかを判断する（Ｓ１）。片面記録モードが設定されている場合には（Ｓ１；Ｎｏ）、制御部７０は、フレーム５５を図５に示される第１姿勢にする（Ｓ２）。そして、制御部７０は、片面印刷処理を実行する（Ｓ３）。片面印刷処理においては、給紙トレイ２０から記録用紙が第１搬送路２２に給送され、その記録用紙の片面に記録部２４が画像記録を行う。そして、画像記録後の記録用紙は、第１姿勢のフレーム５５に支持された拍車５６に案内されて、スイッチバックローラ５３及び拍車５４により排紙トレイ２１へ排出される。
【００９２】
両面記録モードが設定されている場合には（Ｓ１；Ｙｅｓ）、制御部７０は、フレーム５５を図５に示される第１姿勢にする（Ｓ４）。そして、制御部７０は、両面印刷処理を実行する（Ｓ３）。詳細に説明するに、制御部７０は、ＬＦモータ７７を駆動して、給紙ローラ２５を回転させて、給紙トレイ２０から記録用紙Ｐを第１搬送路２２へ給送する（Ｓ５）。本実施形態では、給紙トレイ２０から記録用紙Ｐが第１搬送路２２へ給送される際に、搬送方向先端となる端が第１端６１と称され、搬送方向後端となる端が第２端６２と称される。
【００９３】
第１搬送路２２へ給送された記録用紙Ｐは、第１端６１がレジセンサ８４によって検知された後、搬送ローラ５０へ到達する。このとき、制御部７０は、搬送ローラ５０を停止又は搬送方向と逆方向へ回転させている。したがって、記録用紙Ｐの第１端６１は、搬送ローラ５０及びピンチローラに挟持されずに、搬送ローラ５０のローラ面に当接した状態となる。給紙ローラ２５によって、この記録用紙Ｐが更に給送されると、記録用紙Ｐは、第１端６１を搬送ローラ５０のローラ面に当接させた状態で撓む。これにより、記録用紙Ｐの第１端６１が搬送ローラ５０のローラ面に沿った状態となり、記録用紙Ｐの斜行が矯正される。その後、制御部７０は、搬送ローラ５０を搬送方向へ回転させる。これにより、斜行矯正された記録用紙Ｐの第１端６１が、搬送ローラ５０及びピンチローラにより挟持されて、記録部２４へ搬送される。
【００９４】
記録用紙Ｐの第１端６１がプラテン４２上へ到達すると、制御部７０は、搬送ローラ５０、排紙ローラ５１、及びスイッチバックローラ５３を搬送方向へ間欠駆動させる。間欠駆動において、搬送ローラ５０などは、設定された解像度に応じた改行幅だけ駆動されて一旦停止され、所定時間経過後に再び改行幅だけ駆動される。この間欠駆動において搬送ローラ５０などが停止された間に、制御部７０は、キャリッジ４０を記録用紙Ｐの幅方向へ往復動させて、インクジェット記録ヘッド４１からインク滴を選択的に吐出させる。インクジェット記録ヘッド４１からのインク滴の吐出は、記録すべき画像に応じて設定される。この繰り返しによって、記録用紙Ｐの表面に画像記録がなされる（Ｓ６）。
【００９５】
記録用紙Ｐの表面に画像記録が終了すると、制御部７０は、搬送ローラ５０、排紙ローラ５１、及びスイッチバックローラ５３を搬送方向へ連続して回転させる。表面に画像記録が行われている際に、記録用紙Ｐの第２端６２がレジセンサ８４によって検知される。制御部７０は、レジセンサ８４の検知信号と、ロータリーエンコーダ８２が出力するエンコーダ量とに基づいて、記録用紙Ｐの第２端６２の位置を把握する。そして、制御部７０は、記録用紙Ｐの第２端６２が、スイッチバック位置に到達したかを判断する（Ｓ８）。ここで、スイッチバック位置とは、下流側部位４５において、記録用紙Ｐの第２端６２付近が拍車５６と接触する位置である。制御部７０は、記録用紙Ｐの第２端６２がスイッチバック位置へ到達するまで、記録用紙Ｐの搬送を行う。このとき、フレーム５５は第１姿勢であり、図５に示されるように、フレーム５５に支持された拍車５６の最下部は、接線５７上にある。したがって、記録用紙Ｐは、接線５７上を搬送されてスイッチバックローラ５３及び拍車５４に挟持され、さらに排紙トレイ２１側へ搬送される。
【００９６】
記録用紙Ｐの第２端６２がスイッチバック位置へ到達すると、制御部７０は、搬送ローラ５０、排紙ローラ５１、及びスイッチバックローラ５３を停止させて、図６に示されるように、フレーム５５を第２姿勢へ回転させる（Ｓ９）。フレーム５５の姿勢変化に伴って、拍車５４，５６がスイッチバックローラ５３の軸周りに回転する。これにより、記録用紙Ｐは、スイッチバックローラ５３及び拍車５４に挟持された状態で、第２端６２側が拍車５６により押し下げられて、接線５８方向へ向く。
【００９７】
制御部７０は、フレーム５５を第２姿勢へ姿勢変化させた後、スイッチバックローラ５３を逆転させる。これにより、記録用紙Ｐがスイッチバック搬送される（Ｓ１０）。スイッチバック搬送された記録用紙Ｐは、それまでの搬送方向後端であった第２端６２を先頭として搬送される。前述されたように、記録用紙Ｐの第２端６２側は拍車５６により押し下げられて、接線５８に沿っている。したがって、スイッチバック搬送された記録用紙Ｐは第２搬送路２３へ進入する。
【００９８】
制御部７０は、記録用紙Ｐを第２搬送路２３へ所定量だけ搬送する（Ｓ１１）。この所定量は、スイッチバック搬送された記録用紙Ｐの第２端６２が当接部材４９と当接して撓む量である。したがって、所定量をスイッチバック搬送された記録用紙Ｐは、第２搬送路２３へ進入し、第２端６２を当接部材４９に当接させた状態で撓む。記録用紙Ｐが撓むと、記録用紙Ｐの剛性によってスイッチバックローラ５３及び拍車５４に対して記録用紙Ｐが滑る。これにより、記録用紙Ｐは、スイッチバックローラ５３及び拍車５４に挟持された状態で、第２端６２が当接部材４９に沿った姿勢となる。つまり、記録用紙Ｐの斜行が矯正される。
【００９９】
図１０に示されるように、制御部７０は、記録用紙Ｐを所定量だけスイッチバック搬送した後、記録用紙Ｐを戻し搬送する（Ｓ１２）。戻し搬送とは、記録用紙Ｐを排紙トレイ２１方向へ搬送することである。つまり、制御部７０は、スイッチバックローラ５３を正転させて、当接部材４９に当接された記録用紙Ｐを排紙トレイ２１側へ搬送する。この戻し搬送は、予め設定された所定量だけ行われる（Ｓ１３）。これにより、記録用紙Ｐの第２端６２が当接部材４９から離れる。
【０１００】
制御部７０は、戻し搬送の後、スイッチバックローラ５３を一旦停止させて、図７に示されるように、フレーム５５を第３姿勢へ回転させる（Ｓ１４）。フレーム５５の姿勢変化に伴って、拍車５４，５６がスイッチバックローラ５３の軸周りに回転する。これにより、記録用紙Ｐは、スイッチバックローラ５３及び拍車５４に挟持された状態で、第２端６２側が拍車５６により押し下げられて、接線５９方向へ向く。
【０１０１】
制御部７０は、フレーム５５を第３姿勢へ姿勢変化させた後、スイッチバックローラ５３を逆転させる。これにより、記録用紙Ｐが再びスイッチバック搬送される（Ｓ１５）。前述されたように、記録用紙Ｐの第２端６２側は当接部材４９と離反されており、拍車５６により押し下げられて接線５９に沿っている。したがって、スイッチバック搬送された記録用紙Ｐは当接部材４９と当接することなく第２搬送路２３を給紙トレイ２０へ向かって搬送される。
【０１０２】
第２搬送路２３から給紙トレイ２０へ到達した記録用紙Ｐは、搬送方向先端である第２端６２をサイドガイド３３，３４の誘導部３８，３９間へ進入させる。記録用紙Ｐは、当接部材４９による斜行矯正によって、給紙トレイ２０においてサイドガイド３３，３４により位置決めされた位置から幅方向へずれているおそれがある。前述されたように、誘導部３８，３９は、そのズレが予想される量だけ、離間距離がテーパ状に拡大されているので、仮に記録用紙Ｐが幅方向にずれて第２搬送路２３を搬送されても、第２端６２は誘導部３８，３９間へ進入しうる。そして、記録用紙Ｐは、誘導部３８，３９に案内されてサイドガイド３３，３４間へ進入する。これにより、記録用紙Ｐは、給紙トレイ２０においてサイドガイド３３，３４間に再び位置決めされる。
【０１０３】
制御部７０は、給紙ローラ２５を搬送方向へ回転させて、第２搬送路２３から給紙トレイ２０へ搬送された記録用紙Ｐを再び第１搬送路２２へ給送する。つまり、記録用紙Ｐが第１搬送路２２の上流側部位４６へ進入する。第１搬送路２２を再び搬送される記録用紙Ｐは、既に画像記録がなされた表面を湾曲内側とし、画像記録がなされていない裏面を湾曲外側として搬送される。
【０１０４】
第１搬送路２２へ再び給送された記録用紙Ｐは、第２端６２がレジセンサ８４によって検知された後、搬送ローラ５０へ到達する。このとき、制御部７０は、搬送ローラ５０を停止又は搬送方向と逆方向へ回転させている。したがって、記録用紙Ｐの第２端６２は、搬送ローラ５０及びピンチローラに挟持されずに、搬送ローラ５０のローラ面に当接した状態となる。給紙ローラ２５によって、この記録用紙Ｐが更に給送されると、記録用紙Ｐは、第２端６２を搬送ローラ５０のローラ面に当接させた状態で撓む。これにより、記録用紙Ｐの第２端６２が搬送ローラ５０のローラ面に沿った状態となり、記録用紙Ｐの斜行が矯正される。その後、制御部７０は、搬送ローラ５０を搬送方向へ回転させる。これにより、斜行矯正された記録用紙Ｐの第２端６２が、搬送ローラ５０及びピンチローラにより挟持されて、記録部２４へ搬送される。
【０１０５】
制御部７０は、搬送ローラ５０及びピンチローラによって記録用紙を再び記録部２４へ搬送すると共に、フレーム５５を第３姿勢から第１姿勢へ姿勢変化させる（Ｓ１６）。記録用紙Ｐの第２端６２がプラテン４２上へ到達すると、制御部７０は、搬送ローラ５０、排紙ローラ５１、及びスイッチバックローラ５３を搬送方向へ間欠駆動させる。そして、間欠駆動において搬送ローラ５０などが停止された間に、制御部７０は、キャリッジ４０を記録用紙Ｐの幅方向へ往復動させて、インクジェット記録ヘッド４１からインク滴を選択的に吐出させる。これにより、記録用紙Ｐの裏面に画像記録がなされる（Ｓ１７）。
【０１０６】
記録用紙Ｐの裏面に画像記録が終了すると、制御部７０は、搬送ローラ５０、排紙ローラ５１、及びスイッチバックローラ５３を搬送方向へ連続して回転させる。このとき、フレーム５５は第１姿勢であり、図５に示されるように、フレーム５５に支持された拍車５６の最下部は、接線５７上にある。したがって、記録用紙Ｐは、接線５７上を搬送されてスイッチバックローラ５３及び拍車５４に挟持され、さらに排紙トレイ２１側へ搬送されて排紙される（Ｓ１８）。
【０１０７】
制御部７０は、両面印刷をすべき次の頁がある場合には（Ｓ１９；Ｙｅｓ）、給紙ローラ２５を搬送方向へ回転させて、新しい記録用紙Ｐを給紙トレイ２０から第１搬送路２２へ給送して（Ｓ５）、前述と同様にして、その記録用紙Ｐに両面印刷を行う。両面印刷をすべき次の頁がない場合には（Ｓ１９；Ｎｏ）、制御部７０は、両面印刷を終了する。
【０１０８】
＜本実施形態の作用効果＞
このように、プリンタ部１１によれば、両面印刷においてスイッチバック搬送された記録用紙Ｐが第２姿勢の拍車５６に案内されて第２搬送路２３へ進入し、その第２端６２が当接部材４９に当接して斜行矯正されるので、記録用紙Ｐの両面に精度よく画像記録を行うことができる。
【０１０９】
また、制御部７０が、記録用紙Ｐの第２端６２を当接部材４９に当接させた後、記録用紙Ｐを当接部材４９から離れる方向へ搬送すべくスイッチバックローラ５３の回転を制御するので、フレーム５５が第２姿勢から第３姿勢に姿勢変化される際に、記録用紙Ｐの第２端６２が、折れ曲がったり破損したりすることが防止される。
【０１１０】
また、当接部材４９が、第２搬送路２３を搬送される記録用紙Ｐの第２端６２における搬送方向と交差する方向の両端と当接するので、記録用紙Ｐの第２端６２を効率よく且つ正確に当接部材４９に沿わせて斜行矯正することができる。
【０１１１】
また、スイッチバックローラ５３及び拍車５４は、当接部材４９と当接した記録用紙Ｐの剛性によって、記録用紙Ｐに対して滑りを生じさせるべく記録用紙Ｐを挟持するので、当接部材４９との当接によって記録用紙Ｐの斜行が容易に矯正される。
【０１１２】
また、一対のサイドガイド３３，３４に、第２搬送路２３から搬送された記録用紙Ｐをサイドガイド３３，３４間へ案内すべく、その離間距離がテーパ状に拡大された誘導部３８，３９が設けられたので、当接部材４９によって斜行矯正された記録用紙Ｐが、最初にサイドガイド３３，３４によって位置決めされた所定位置から若干ずれても、誘導部３８，３９が、そのずれを矯正しながら記録用紙Ｐをサイドガイド３３，３４間へ案内するので、第１搬送路２２へ再送される記録用紙Ｐがセンターレジに対応した位置に位置決めされる。
【０１１３】
＜変形例＞
上記実施形態においては、当接部材４９が上側ガイド部材４７から下側ガイド部材４８へ向かって突出するものとしたが、図１１及び図１２に示されるように、当接部材４９に代えて、下側ガイド部材４８から上側ガイド部材４７へ向かって突出される当接部材６３が設けられてもよい。
【０１１４】
当接部材６３は、第２搬送路２３に沿って記録用紙が搬送される方向と交差する方向へ、下側ガイド部材４８から上方へ向かって突出している。当接部材６３が突出する寸法は特に限定されないが、第２搬送路２３において、記録用紙が当接部材６３と当接せずに、当接部材６３と上側ガイド部材４７との間を通過できるように構成されている。
【０１１５】
当接部材６３は、下側ガイド部材４８において、下流側部位４５より若干下流側に配置されている。したがって、下流側部位４５から第２搬送路２３へ進入した記録用紙は、その進入方向によって当接部材６３と当接し得る。当接部材６３は、少なくとも第２搬送路２３を搬送される記録用紙の幅方向（搬送方向と交差する方向）の両端付近に設けられればよい。
【０１１６】
このような当接部材６３に対応して、フレーム５５の姿勢変化は次のように制御される。フレーム５５の第１姿勢は、上記第１の実施形態において図５に示される姿勢と同様である。図１１に示されるように、フレーム５５は、第２姿勢において、拍車５６が下側ガイド部材４８と当接する直前まで、その延出端が下側へ回転される。この第２姿勢のフレーム５５によって、記録用紙Ｐは拍車５６により当接部材４９へ案内される。
【０１１７】
図１２に示されるように、フレーム５５は、第３姿勢において、その延出端を、第２姿勢より若干上側となるように回転される。この第３姿勢のフレーム５５によって、記録用紙Ｐは当接部材６３と当接せずに第２搬送路２３を通過できる方向へ拍車５６により案内される。
【０１１８】
このような当接部材６３を当接部材４９に代えて第２搬送路２３に設け、フレーム５５の姿勢変化を前述されたように制御することにより、上記第１の実施形態と同様の効果が奏される。
【０１１９】
［第２の実施形態］
以下に、本発明にかかる第２の実施形態が説明される。第２の実施形態におけるプリンタ部が第１の実施形態におけるプリンタ部１１と異なる点は、当接部材４９、フレーム５５及び拍車５６に代えて、ガイドフラップ９０及びガイド９５，９６が設けられている点である。ガイドフラップ９０は、第１搬送路２２における下流側部位４５に設けられて、記録用紙Ｐを排紙トレイ２１へ案内する第４姿勢、スイッチバック搬送された記録用紙Ｐと当接して停止させる第５姿勢、及びスイッチバック搬送された記録用紙Ｐを第２搬送路２３へ案内する第６姿勢に姿勢変化される。ガイドフラップ９０が、本発明における第２ガイドに相当する。ガイド９５，９６は、スイッチバック搬送される記録用紙Ｐをガイドフラップ９０へ案内する。以下には、第１の実施形態と構成が異なるガイドフラップ９０が主に説明される。その他の構成において第１の実施形態と同一の参照符号が付された部材は、第１の実施形態と同等のものであり、その詳細な説明が省略される。
【０１２０】
図１３は、第４姿勢のガイドフラップ９０を示す拡大断面図である。図１４は、第５姿勢のガイドフラップ９０を示す拡大断面図である。図１５は、第６姿勢のガイドフラップ９０を示す拡大断面図である。
【０１２１】
図１３に示されるように、ガイドフラップ９０は、第１搬送路２２の下流側部位４５において、第１搬送路２２と第２搬送路２３との境界を基端として、その先端を第１搬送路２２における搬送方向下流側へ突出させて配置されている。ガイドフラップ９０の基端は、軸９１に回転自在に支持されている。したがって、ガイドフラップ９０は軸９１を中心として回転可能である。図１３から図１５には、１つのガイドフラップ９０が示されているが、同様のガイドフラップ９０が第１搬送路２２の幅方向に渡って所定間隔で複数設けられている。なお、ガイドフラップ９０は、必ずしも第１搬送路２２の幅方向の全域に渡って複数が設けられる必要はなく、少なくとも第１搬送路２２を搬送される記録用紙Ｐの第２端６２における搬送方向と交差する方向の両端付近に設けられていればよい。また、各図には示されていないが、ガイドフラップ９０は、ＬＦモータ７７から駆動伝達されて、第４姿勢、第５姿勢、及び第６姿勢にそれぞれ姿勢変化可能である。
【０１２２】
ガイドフラップ９０は、その先端側に当接面９２が形成されている。当接面９２は、図１４に示されるように、ガイドフラップ９０が第５姿勢にされると、接線６４とほぼ直交する。ここで、接線６４は、スイッチバックローラ５３と拍車５４とのニップ位置を通過し、かつ、搬送ローラ５０及びピンチローラによるニップ位置と、排紙ローラ５１及び拍車５２によるニップ位置とを結ぶ直線と一致する。つまり、搬送ローラ５０及びピンチローラ、並びに排紙ローラ５１及び拍車５２にそれぞれ挟持されて搬送される記録用紙Ｐは、接線６４に沿って搬送される。また、スイッチバックローラ５３及び拍車５４によってスイッチバック搬送される記録用紙Ｐは、接線６４に沿った方向へスイッチバック搬送される。
【０１２３】
ガイドフラップ９０において、当接面９２から基端へ向かう下端にガイド面９３が形成されている。ガイド面９３は、図１５に示されるように、ガイドフラップ９０が第６姿勢にされると、上側ガイド部材４７のガイド面を延長するようにして接線６４と交差し、第１搬送路２２の下流側部位４５から上流側方向への経路を封止する。
【０１２４】
ガイドフラップ９０の上端は、図１３に示されるように、ガイドフラップ９０が第４姿勢にされると、接線６４と交差しない形状にされている。これにより、第１姿勢のガイドフラップ９０は、接線６４に沿って搬送される記録用紙Ｐとは接触しない。このようなガイドフラップ９０の上端の形状は特に限定されないが、記録用紙Ｐの第１端６１が円滑にスイッチバックローラ５３へ搬送されるように、基端から先端へ向かって接線６４側へ突出する段がない形状が好ましい。
【０１２５】
図１３に示されるように、第１搬送路２２の下流側部位４５においてガイドフラップ９０が設けられた位置からスイッチバックローラ５３及び拍車５４が設けられた位置に渡って、第１搬送路２２の上下方向に対向された一対のガイド９５，９６が設けられている。ガイド９５は、第１搬送路２２において上側ガイド面として機能する。ガイド９６は、第１搬送路２２において下側ガイド面として機能する。このガイド９５，９６は、第１搬送路２２の幅方向に渡って所定間隔で複数設けられたガイドフラップ９０の間において、複数設けられている。つまり、ガイド９５，９６は、ガイドフラップ９０の姿勢変化に対して当接しない位置に設けられている。このガイド９５，９６によって、下流側部位４５をスイッチバックローラ５３及び拍車５４へ向かって搬送される記録用紙Ｐ、又はスイッチバックローラ５３及び拍車５４によって下流側部位４５へスイッチバック搬送される記録用紙Ｐが接線６４の方向へ案内される。
【０１２６】
このようなガイドフラップ９０及びガイド９５，９６が設けられたプリンタ部による両面印字動作は、第１の実施形態におけるフレーム５５の姿勢変化の制御に代えて、ガイドフラップ９０が姿勢変化が制御されることのほか、第１の実施形態と同様である。したがって、ガイドフラップ９０の姿勢変化を中心に両面印字動作が説明され、その他の動作説明は省略される。
【０１２７】
両面記録モードにおいて、給紙トレイ２０から第１搬送路２２へ給送された記録用紙Ｐは、第１の実施形態と同様にして表面に画像記録がなされる。このとき、制御部７０は、図１３に示されるように、ガイドフラップ９０を第４姿勢にする。これにより、表面に画像記録がされて、排紙ローラ５１及び拍車５２により下流側部位４５へ搬送される記録用紙Ｐは、ガイドフラップ９０と当接せずにガイド９５，９６に案内されてスイッチバックローラ５３側へ搬送され、第１端６１がスイッチバックローラ５３及び拍車５４に挟持される。
【０１２８】
記録用紙Ｐの表面に画像記録が終了して、記録用紙Ｐの第２端６２がスイッチバック位置へ到達すると、制御部７０は、搬送ローラ５０、排紙ローラ５１、及びスイッチバックローラ５３を停止させて、図１４に示されるように、ガイドフラップ９０を第５姿勢へ回転させる。本実施形態におけるスイッチバック位置は、第１搬送路２２における下流側部位４５と、スイッチバックローラ５３及び拍車５４によるニップ位置との間で設定される。そして、制御部７０は、スイッチバックローラ５３を逆転させる。これにより、記録用紙Ｐがスイッチバック搬送される。
【０１２９】
スイッチバック搬送された記録用紙Ｐは、それまでの搬送方向後端であった第２端６２を先頭として、ガイド９５，９６に案内されて接線６４に沿って下流側部位４５へ進入する。第５姿勢のガイドフラップ９０は、当接面９２を接線６４と直交させるので、スイッチバック搬送された記録用紙Ｐの第２端６２は当接面９２と当接して停止される。これにより、記録用紙Ｐは、幅方向に複数設けられた各ガイドフラップ９０の各当接面９２に第２端６２を沿わせた状態で撓む。記録用紙Ｐが撓むと、記録用紙Ｐの剛性によってスイッチバックローラ５３及び拍車５４に対して記録用紙Ｐが滑る。これにより、記録用紙Ｐは、スイッチバックローラ５３及び拍車５４に挟持された状態で、第２端６２がガイドフラップ９０の当接面９２に沿って姿勢変化される。つまり、記録用紙Ｐの斜行が矯正される。なお、記録用紙Ｐの撓みは、ガイド９５，９６によって所定の範囲に制限される。これにより、ガイドフラップ９０の当接面９２に当接した記録用紙Ｐが大きく撓んで折れ曲がることが防止される。
【０１３０】
制御部７０は、記録用紙Ｐの第２端６２をガイドフラップ９０の当接面９２に当接させた後、記録用紙Ｐを戻し搬送する。これにより、記録用紙Ｐの第２端６２がガイドフラップ９０の当接面９２から離れる。そして、制御部７０は、スイッチバックローラ５３を一旦停止させて、図１５に示されるように、ガイドフラップ９０を第６姿勢へ回転させる。第６姿勢のガイドフラップ９０は、そのガイド面９３を接線６４と交差させて、第１搬送路２２における下流側部位４５から上流側の経路を封止する。
【０１３１】
制御部７０は、ガイドフラップ９０を第６姿勢へ姿勢変化させた後、スイッチバックローラ５３を逆転させる。これにより、記録用紙Ｐが再びスイッチバック搬送される。記録用紙Ｐの第２端６２が下流側部位４５へ到達すると、ガイドフラップ９０のガイド面９３と当接する。これにより、第２端６２が第２搬送路２３へ案内されて、記録用紙Ｐが第２搬送路２３へ進入する。
【０１３２】
その後、第１の実施形態と同様にして、記録用紙Ｐが第２搬送路２３から給紙トレイ２０へ搬送され、誘導部３８，３９に案内されてサイドガイド３３，３４間へ進入する。そして、給紙ローラ２５により記録用紙Ｐが再び第１搬送路２２へ給送されて、裏面をインクジェット記録ヘッド４１と対向させて記録部２４へ搬送される。
【０１３３】
制御部７０は、ガイドフラップ９０をを第６姿勢から第４姿勢へ姿勢変化させるとともに、記録用紙Ｐの裏面に画像記録を行う。そして、記録用紙Ｐの裏面に画像記録が終了すると、記録用紙Ｐを排紙トレイ２１へ排出する。このとき、ガイドフラップ９０は第４姿勢であり、図１３に示されるように、接線６４と非接触である。
【０１３４】
このように、第２の実施形態におけるプリンタ部によれば、スイッチバック搬送された記録用紙Ｐの第２端６２がガイドフラップ９０の当接面９２に沿って斜行矯正されるので、記録用紙Ｐの両面に精度よく画像記録を行うことができる。また、前述された第１の実施形態と同様の効果が奏される。
【図面の簡単な説明】
【０１３５】
【図１】図１は、本発明の一実施形態にかかる複合機１０の外観斜視図である。
【図２】図２は、複合機１０のプリンタ部１１の内部構造を示す縦断面図である。
【図３】図３は、給紙トレイ２０の構成を示す斜視図である。
【図４】図４は、プリンタ部１１の主要部を示す拡大断面図である。
【図５】図５は、第１姿勢のフレーム５５を示す拡大断面図である。
【図６】図６は、第２姿勢のフレーム５５を示す拡大断面図である。
【図７】図７は、第３姿勢のフレーム５５を示す拡大断面図である。
【図８】図８は、複合機１０の制御部７０の構成を示すブロック図である。
【図９】図９は、プリンタ部１１の動作を示すフローチャートである。
【図１０】図１０は、プリンタ部１１の動作を示すフローチャートである。
【図１１】図１１は、変形例における第２姿勢のフレーム５５を示す拡大断面図である。
【図１２】図１２は、変形例における第３姿勢のフレーム５５を示す拡大断面図である。
【図１３】図１３は、第２の実施形態における第４姿勢のガイドフラップ９０を示す拡大断面図である。
【図１４】図１４は、第２の実施形態における第５姿勢のガイドフラップ９０を示す拡大断面図である。
【図１５】図１５は、第２の実施形態における第６姿勢のガイドフラップ９０を示す拡大断面図である。
【符号の説明】
【０１３６】
１１・・・プリンタ部（画像記録装置）
１５・・・給送部
２１・・・排紙トレイ（排出部）
２２・・・第１搬送路
２３・・・第２搬送路
２４・・・記録部
３３，３４・・・サイドガイド
３８，３９・・・誘導部
４５・・・下流側部位
４６・・・上流側部位
４７・・・上側ガイド部材
４８・・・下側ガイド部材
４９・・・当接部材
５３・・・スイッチバックローラ（ローラ対、搬送機構）
５４・・・拍車（ローラ対、搬送機構）
５５・・・フレーム（第１ガイド）
５６・・・拍車（第１ガイド）
７０・・・制御部
９０・・・ガイドフラップ（第２ガイド）
【図１】
2008239306.tif 000003
【図２】
2008239306.tif 000004
【図３】
2008239306.tif 000005
【図４】
2008239306.tif 000006
【図５】
2008239306.tif 000007
【図６】
2008239306.tif 000008
【図７】
2008239306.tif 000009
【図８】
2008239306.tif 000010
【図９】
2008239306.tif 000011
【図１０】
2008239306.tif 000012
【図１１】
2008239306.tif 000013
【図１２】
2008239306.tif 000014
【図１３】
2008239306.tif 000015
【図１４】
2008239306.tif 000016
【図１５】
2008239306.tif 000017